(57)【要約】【課題】  非接触型タグに対するデータの読み出しまたは記録を行うデータ処理装置において、上記非接触型タグに少なくとも位置情報が記録されたデータの復元を容易にする。【解決手段】  用紙に添付されたＲＦＩＤタグから読み出されたデータは、一旦復元エリアに保存される。そして、復元エリアよりデータが１データずつ読み出され（Ｓ４０２）、そのデータが位置情報またはファイルネームのみのデータである場合は（Ｓ４０３：Ｙ）、そのデータが次のように元のファイルデータに復元される。すなわち、位置情報またはファイルネームに対応するファイルが検索され（Ｓ４０４）、ファイルがあった場合は（Ｓ４０５：Ｙ）、そのファイルデータが取得され（Ｓ４０６）、指定フォルダに保存される（Ｓ４０８）。【選択図】  図１４
2008085844.tif 000002
【特許請求の範囲】
【請求項１】
非接触型タグからデータを読み出すデータ読み出し手段と、
該データ読み出し手段が、上記非接触型タグから、データのかつての格納位置を示す位置情報とそのデータを復元するためのフラグまたは復元用プログラムとを読み出した場合、そのフラグまたは復元用プログラムに基いて上記データを復元する復元手段と、
を備えたことを特徴とするデータ処理装置。
【請求項２】
上記復元手段が復元したデータを、指定された格納位置に格納する第１の格納手段を、
更に備えたことを特徴とする請求項１記載のデータ処理装置。
【請求項３】
上記第１の格納手段は、上記指定された格納位置に上記位置情報に対応するフォルダ構造を構築してから、上記データを上記位置情報に対応する格納位置に格納することを特徴とする請求項２記載のデータ処理装置。
【請求項４】
上記復元手段が復元したデータを、上記位置情報が示す格納位置に格納する第２の格納手段を、
更に備えたことを特徴とする請求項１〜３のいずれかに記載のデータ処理装置。
【請求項５】
上記位置情報が示す格納位置が存在しない場合、上記第２の格納手段は、その位置情報に対応するフォルダ構造を構築してから、上記データを上記位置情報が示す格納位置に格納することを特徴とする請求項４記載のデータ処理装置。
【請求項６】
少なくとも上記データ読み出し手段を備えた端末と、少なくとも上記第１または第２の格納手段を備えたホストとによって構成され、
上記復元手段が、上記端末に設けられたことを特徴とする請求項２〜５のいずれかに記載のデータ処理装置。
【請求項７】
少なくとも上記データ読み出し手段を備えた端末と、少なくとも上記第１または第２の格納手段を備えたホストとによって構成され、
上記復元手段が、上記ホストに設けられたことを特徴とする請求項２〜５のいずれかに記載のデータ処理装置。
【請求項８】
上記復元手段による復元、若しくは、上記第１または第２の格納手段による格納が失敗した場合に、その失敗を示す失敗情報を作成する失敗情報作成手段を、
更に備えたことを特徴とする請求項１〜７のいずれかに記載のデータ処理装置。
【請求項９】
上記復元手段は、上記位置情報が示す格納位置にアクセスすることにより、上記データを復元することを特徴とする請求項１〜８のいずれかに記載のデータ処理装置。
【請求項１０】
上記復元手段は、上記データ読み出し手段が読み出したデータに復元を指示するフラグが添付されている場合は自動的に上記復元を実行し、添付されていない場合は、上記読み出し手段が読み出したデータを呈示して使用者の指示を待つことを特徴とする請求項１〜９のいずれかに記載のデータ処理装置。
【請求項１１】
上記データ読み出し手段が読み出したデータに復元を指示するフラグが添付されている場合、上記復元手段は、復元用プログラムを自動でインストールして上記復元を実行することを特徴とする請求項１０記載のデータ処理装置。
【請求項１２】
上記データ読み出し手段が読み出したデータに、上記非接触型タグが添付された被記録媒体の表示面に形成された画像に対応する画像データまたはその元データが含まれる場合、そのデータを保存する画像データ保存手段を、
更に備えたことを特徴とする請求項１〜１１のいずれかに記載のデータ処理装置。
【請求項１３】
表示面に画像が形成可能な被記録媒体に添付された非接触型タグに、データを記録するデータ記録手段と、
該データ記録手段が記録するデータを指定するデータ指定手段と、
該データ指定手段によりデータが指定されたとき、上記データ記録手段に、少なくともそのデータ自身とそのデータのかつての格納位置を表す位置情報とを上記非接触型タグに記録させるか、そのデータのファイル名とかつての格納位置を示す位置情報とを記録させるか、更には、そのデータを復元するためのフラグまたは復元用プログラムをも記録させるかを、選択的に切り換える記録制御手段と、
を備えたことを特徴とするデータ処理装置。
【請求項１４】
非接触型タグからデータを読み出すデータ読み出し手段と、
該データ読み出し手段が、上記非接触型タグから、データのかつての格納位置を示す位置情報を読み出した場合、その位置情報に基いて上記データを復元する復元手段と、
を備えたことを特徴とするデータ処理装置。
【請求項１５】
データのかつての格納位置を示す位置情報と、そのデータを復元するためのフラグまたは復元用プログラムと、が記録された非接触型タグと、
該非接触型タグが添付され、上記各納位置と他のデータ及びフォルダとの関係が表示された表示面と、
を備えたことを特徴とする被記録媒体。
【発明の詳細な説明】
【技術分野】
【０００１】
本発明は、非接触型タグに対するデータの読み出しまたは記録を行うデータ処理装置、及び、そのデータ処理装置において使用可能な非接触型タグが添付された被記録媒体に関する。
【背景技術】
【０００２】
近年、ＲＦＩＤタグ（Radio Frequency Identification tag）等の非接触型タグを用紙等の被記録媒体に添付（埋め込まれたものも含む）することが提案されており、そのような被記録媒体に対して、画像を形成すると同時に非接触型タグにデータを記録することも提案されている。例えば、非接触型タグにソフトウェアのデジタルデータを記録すると共に、被記録媒体にマニュアルの文字画像等を形成することが提案されている（例えば、特許文献１参照）。
【特許文献１】特開２００２−３３３７４２６号公報
【発明の開示】
【発明が解決しようとする課題】
【０００３】
ところが、ソフトウェアは複数のデータ（ファイル）から構成され、どれか１つが破損しても動作に不具合が生じる。しかしながら、従来は、非接触型タグに記録されたデータがその取得元においてどのような格納位置に格納されていたのか知る術がなく、データの復元が困難であった。また、ソフトウェア以外のデータであっても、そのデータが取得元においてどのような格納位置に格納されていたのかを調べて、そのデータを復元したい場合がある。
【０００４】
そこで、本発明は、非接触型タグに対するデータの読み出しまたは記録を行うデータ処理装置において、上記非接触型タグに少なくとも位置情報が記録されたデータの復元を容易にすることを目的としてなされた。
【課題を解決するための手段】
【０００５】
上記目的を達するためになされた本発明のデータ処理装置は、非接触型タグからデータを読み出すデータ読み出し手段と、該データ読み出し手段が、上記非接触型タグから、データのかつての格納位置を示す位置情報とそのデータを復元するためのフラグまたは復元用プログラムとを読み出した場合、そのフラグまたは復元用プログラムに基いて上記データを復元する復元手段と、を備えたことを特徴としている。
【０００６】
このように構成された本発明のデータ処理装置では、データ読み出し手段は、非接触型タグからデータを読み出す。そして、そのデータ読み出し手段が、上記非接触型タグから、データのかつての格納位置を示す位置情報とそのデータを復元するためのフラグまたは復元用プログラムとを読み出した場合、復元手段は、そのフラグまたは復元用プログラムに基いて上記データを復元する。
【０００７】
このため、本発明では、被記録媒体に当該データのかつての格納位置を示す位置情報とそのデータを復元するためのフラグまたは復元用プログラムとが記録されている場合、そのデータを容易に復元することができる。なお、当該データ自身は、上記被記録媒体に記録されていてもよく記録されていなくてもよい。
【０００８】
また、本発明は以下の構成に限定されるものではないが、上記復元手段が復元したデータを、指定された格納位置に格納する第１の格納手段を、更に備えてもよい。この場合、上記復元手段が復元したデータを、予め指定された格納位置に第１の格納手段によって格納することができる。従って、復元されたデータへのアクセスが容易となる。
【０００９】
そして、この場合、上記第１の格納手段は、上記指定された格納位置に上記位置情報に対応するフォルダ構造を構築してから、上記データを上記位置情報に対応する格納位置に格納してもよい。この場合、復元されたデータをかつての格納位置に対応するフォルダ構造ごと上記指定された格納位置に格納することが、元々存在したフォルダ構造に影響を与えることなく実行できる。
【００１０】
また、上記復元手段が復元したデータを、上記位置情報が示す格納位置に格納する第２の格納手段を、更に備えてもよい。この場合、復元されたデータをかつての格納位置に格納することができ、他のアプリケーション等でそのデータを使用する場合に一層利便性が向上する。
【００１１】
そして、この場合、上記位置情報が示す格納位置が存在しない場合、上記第２の格納手段は、その位置情報に対応するフォルダまたはフォルダ構造を構築してから、上記データを上記位置情報が示す格納位置に格納してもよい。この場合、かつての格納位置に対応するフォルダ構造自体が消失している場合でも、フォルダ構造ごと復元することができ、一層利便性が向上する。
【００１２】
また、本発明のデータ処理装置が、少なくとも上記データ読み出し手段を備えた端末と、少なくとも上記第１または第２の格納手段を備えたホストとによって構成されている場合、上記復元手段は、上記端末に設けられてもよく、上記ホストに設けられてもよい。前者の場合は、データを一層確実に復元することができ、後者の場合は、ホストにおける他の処理に影響が及ぶのを抑制することができる。
【００１３】
また、上記復元手段による復元、若しくは、上記第１または第２の格納手段による格納が失敗した場合に、その失敗を示す失敗情報を作成する失敗情報作成手段を、更に備えてもよい。この場合、使用者は、失敗情報作成手段が作成した失敗情報に基づいて、上記復元手段による復元、若しくは、上記第１または第２の格納手段による格納が失敗したことを知ることができ、善後策を迅速に検討することが可能となる。
【００１４】
また、上記復元手段は、上記位置情報が示す格納位置にアクセスすることにより、上記データを復元してもよい。この場合、かつての格納位置に同様のデータが存在している場合は、極めて迅速に、かつ、簡単な処理でデータを復元することができる。
【００１５】
また、上記復元手段は、上記データ読み出し手段が読み出したデータに復元を指示するフラグが添付されている場合は自動的に上記復元を実行し、添付されていない場合は、上記読み出し手段が読み出したデータを呈示して使用者の指示を待ってもよい。この場合、非接触型タグに記録されるデータに上記フラグを添付しておくか否かによって、上記復元を自動で実行させるか使用者の判断に委ねるかを設定することが可能となる。
【００１６】
また、この場合、上記データ読み出し手段が読み出したデータに復元を指示するフラグが添付されている場合、上記復元手段は、復元用プログラムを自動でインストールして上記復元を実行してもよい。この場合、新たにインストールされた復元用プログラムを用いて上記復元が実行されるので、データを一層確実に復元することができる。
【００１７】
また、上記データ読み出し手段が読み出したデータに、上記非接触型タグが添付された被記録媒体の表示面に形成された画像に対応する画像データまたはその元データが含まれる場合、そのデータを保存する画像データ保存手段を、更に備えてもよい。この場合、画像データ保存手段が保存したデータに基いて、上記非接触型タグが添付された被記録媒体の表示面に形成された画像を再び他の被記録媒体に形成することが可能となる。
【００１８】
また、本発明のデータ処理装置は、表示面に画像が形成可能な被記録媒体に添付された非接触型タグに、データを記録するデータ記録手段と、該データ記録手段が記録するデータを指定するデータ指定手段と、該データ指定手段によりデータが指定されたとき、上記データ記録手段に、少なくともそのデータ自身とそのデータのかつての格納位置を表す位置情報とを上記非接触型タグに記録させるか、そのデータのファイル名とかつての格納位置を示す位置情報とを記録させるか、更には、そのデータを復元するためのフラグまたは復元用プログラムをも記録させるかを、選択的に切り換える記録制御手段と、を備えたことを特徴とするものであってもよい。
【００１９】
このように構成された本発明のデータ処理装置では、データ指定手段によりデータを指定すれば、表示面に画像が形成可能な被記録媒体に添付された非接触型タグに、データ記録手段によって上記指定されたデータを記録することができる。しかも、このとき、記録制御手段は、データ記録手段に、少なくとも上記指定されたデータ自身を上記非接触型タグに記録させるか、そのデータのかつての格納位置を示す位置情報とそのデータを復元するためのフラグまたは復元用プログラムとを記録させるかを、選択的に切り換える。前者が選択された場合、非接触型タグから上記指定されたデータを直接読み出すことができる。また、後者が選択された場合、上記指定されたデータは前述の復元手段を備えたデータ処理装置によって容易に復元することができ、しかも、非接触型タグの容量も確保することができる。
【００２０】
また、本発明のデータ処理装置は、非接触型タグからデータを読み出すデータ読み出し手段と、該データ読み出し手段が、上記非接触型タグから、データのかつての格納位置を示す位置情報を読み出した場合、その位置情報に基いて上記データを復元する復元手段と、を備えたことを特徴とするものであってもよい。
【００２１】
このように構成された本発明のデータ処理装置では、データ読み出し手段は、非接触型タグからデータを読み出す。そして、そのデータ読み出し手段が、上記非接触型タグから、データのかつての格納位置を示す位置情報を読み出した場合、復元手段は、その位置情報に基いて上記データを復元する。
【００２２】
このため、本発明では、被記録媒体に当該データのかつての格納位置を示す位置情報が記録されている場合、そのデータを容易に復元することができる。
また、本発明の被記録媒体は、データのかつての格納位置を示す位置情報と、そのデータを復元するためのフラグまたは復元用プログラムと、が記録された非接触型タグと、該非接触型タグが添付され、上記各納位置と他のデータ及びフォルダとの関係が表示された表示面と、を備えたことを特徴としている。
【００２３】
このように構成された本発明の被記録媒体では、非接触型タグに記録された上記位置情報と上記フラグまたは復元用プログラムとを読み出すことにより、前述の復元手段を備えたデータ処理装置によってデータを容易に復元することができる。しかも、被記録媒体の表示面には、そのデータのかつての各納位置と他のデータ及びフォルダとの関係が表示されているので、そのデータのシステム上の位置付けが一目瞭然となる。
【発明を実施するための最良の形態】
【００２４】
［発明の実施の形態の全体構成］
次に、本発明の実施の形態を、図面を参照して説明する。図１は、本発明が適用されたデータ処理装置の構成を表すブロック図である。図１に示すように、本実施の形態のデータ処理装置は、端末としてのプリンタ１と、そのプリンタ１にネットワーク７００を介して接続されたホストとしてのパーソナルコンピュータ（以下、単にパソコンという）８００とから構成されている。なお、ネットワーク７００は、社内ＬＡＮ，インターネット等、いかなるネットワークであってもよい。
【００２５】
［プリンタ１の構成の説明］
図２はそのプリンタ１の内部構成を表す概略断面図である。図２に示すように、プリンタ１は、本体ケース２内に、被記録媒体としての用紙３を給紙するためのフィーダ部４、マルチパーパストレイ１４、給紙された用紙３に画像を形成するための画像形成手段の一例としてのプロセスユニット１８及び定着装置１９等を備えている。なお、以降、このプリンタ１において、マルチパーパストレイ１４が本体ケース２に取り付けられている側（図２で左側）を「前部」とし、同じくマルチパーパストレイ１４が本体ケース２に取り付けられている側とは反対側を「後部」とする。
【００２６】
［フィーダ部４の構成の説明］
図２に示すように、フィーダ部４は、本体ケース２内の底部に、着脱可能に装着される給紙トレイ６と、給紙トレイ６内に設けられた用紙押圧板８と、給紙トレイ６の一端側端部の上方に設けられる給紙ローラ１２及び分離パッド１３とを備えている。また、給紙ローラ１２から画像形成位置Ｐ（感光体ドラム２３と転写ローラ２５との接触部、つまり感光体ドラム２３上のトナー像が用紙３に転写される転写位置）までの間には、湾曲状に形成された搬送経路７が配されている。
【００２７】
用紙押圧板８は、用紙３を積層状に保持可能であり、給紙ローラ１２に対して遠い方の端部において揺動可能に支持されることによって、近い方の端部が上下方向に移動可能に構成されており、また、その裏側からバネ８ａによって上方向に付勢されている。分離パッド１３は、給紙ローラ１２に対向状に配設され、摩擦係数の大きい部材からなるパッド１３ａがバネ１３ｂによって給紙ローラ１２に向かって押圧されている。
【００２８】
一方、搬送経路７は、用紙３を案内する一対のガイド板７ａ，７ｂが配置されることにより湾曲状に形成されている。また、この搬送経路７には、用紙搬送の上流側から順に、給紙ローラ１２、駆動ローラと従動ローラの対からなる一対の搬送ローラ１１、駆動ローラと従動ローラの対からなる一対の搬送ローラ１０、及び、画像形成位置Ｐの直前に配置され、駆動ローラと従動ローラの対からなる一対のレジストローラ９が、適宜間隔にて配置されている。
【００２９】
以上のように構成されたフィーダ部４においては、用紙押圧板８上に積層された用紙３のうち最上位にある用紙３が、給紙ローラ１２に向かって押圧され、その給紙ローラ１２の回転によって給紙ローラ１２と分離パッド１３とで挟まれた後、１枚毎に給紙される。給紙された用紙３は、搬送ローラ１１にて搬送された後、搬送ローラ１０及びレジストローラ９に順次送られ、所定のタイミングで、画像形成位置Ｐに送られる。
【００３０】
［マルチパーパストレイ１４の構成の説明］
フィーダ部４より上方位置の本体ケース２の前部側には、用紙３を手差しまたは自動給紙にて供給するためのマルチパーパストレイ１４と、マルチパーパストレイ１４上に積層される用紙３を給紙するためのマルチパーパス側給紙機構１５とが設けられている。マルチパーパス側給紙機構１５は、マルチパーパス側給紙ローラ１５ａ及びマルチパーパス側給紙パッド１５ｂを備えており、マルチパーパス側給紙パッド１５ｂの裏側に配設されるバネ１５ｃによって、マルチパーパス側給紙パッド１５ｂがマルチパーパス側給紙ローラ１５ａに向かって押圧されている。また、マルチパーパス側給紙機構１５は、駆動ローラと従動ローラの対からなる一対の搬送ローラ１５ｄを備えている。
【００３１】
以上のように構成されたマルチパーパストレイ１４においては、マルチパーパストレイ１４上に積層される用紙３が、回転するマルチパーパス側給紙ローラ１５ａとマルチパーパス側給紙パッド１５ｂとで挟まれた後、１枚毎に給紙されて一対の搬送ローラ１５ｄを介して前記レジストローラ９に送られる。
【００３２】
更に、搬送ローラ１５ｄ，１０とレジストローラ９との間には、データ読み出し手段としてのタグリーダ１６が設けられている。このタグリーダ１６は、用紙３として図３に例示するように非接触型タグの一例としてのＲＦＩＤタグ（radio frequency identification tag：以下、単にタグという）３Ａを備えたものが使用された場合、そのタグ３Ａに記録されたデータを読み取る。このため、タグ３Ａを備えた用紙３が給紙トレイ６またはマルチパーパストレイ１４から画像形成位置Ｐまで搬送される途中で、その用紙３に設けられたタグ３Ａからタグリーダ１６にてデータを読み取ることができる。なお、マルチパーパストレイ１４にセットされた用紙３に添付されているタグ３Ａからデータを読み取る（読み出す）場合、必ずしも、用紙３を搬送しながら読み取る（読み出す）ようにする必要はなく、例えば、マルチパーパストレイ１４にセット（載置）した状態のままで用紙３に添付されているタグ３Ａからデータを読み取る（読み出す）ようにしてもよい。
【００３３】
［スキャナユニット１７の構成の説明］
スキャナユニット１７は、本体ケース２の上部のうち、排紙トレイ３６の下面側に配置され、レーザ発光部（図示せず）、回転駆動されるポリゴンミラー２０、レンズ２１ａ及び２１ｂ、反射鏡２２などを備えており、レーザ発光部から発光される画像データに応じたレーザビームを、ポリゴンミラー２０、レンズ２１ａ、反射鏡２２、レンズ２１ｂの順に通過或いは反射させて、プロセスユニット１８における感光体ドラム２３の表面上に高速走査にて照射している。
【００３４】
［プロセスユニット１８の構成の説明］
プロセスユニット１８は、静電潜像坦持体としての感光体ドラム２３、スコロトロン型帯電器３７、及び、転写ローラ２５等を有するドラムカートリッジと、そのドラムカートリッジに着脱自在な現像カートリッジ２４とから構成されている。現像カートリッジ２４は、トナー収容部２６、現像ローラ２７、層厚規制ブレード２８、トナー供給ローラ２９等を備えている。
【００３５】
トナー収容部２６には、現像剤として、正帯電性の非磁性１成分の重合トナーが充填されており、そのトナーがトナー供給ローラ２９によって現像ローラ２７に供給され、この時、トナー供給ローラ２９と現像ローラ２７との間で正極性に摩擦帯電され、更に、現像ローラ２７上に供給されたトナーは、現像ローラ２７の回転に伴って、層厚規制ブレード２８の摺擦により一定厚さの薄層として現像ローラ２７上に担持される。一方、回転する感光体ドラム２３は現像ローラ２７と対向して配置され、ドラム本体が接地されると共に、その表面が正帯電性の有機系感光体材料により形成されている。
【００３６】
スコロトロン型帯電器３７は、感光体ドラム２３の上方に、感光体ドラム２３に接触しないように、所定の間隔を隔てて配設されている。スコロトロン型帯電器３７は、タングステンなどの帯電用ワイヤからコロナ放電を発生させる正帯電用のスコロトロン型の帯電器であり、感光体ドラム２３の表面を一様に正極性に帯電させるように構成されている。
【００３７】
そして、感光体ドラム２３の表面は、その感光体ドラム２３の回転に伴って、先ず、スコロトロン型帯電器３７により一様に正帯電された後、スキャナユニット１７からのレーザビームの高速走査により露光され、画像データに基づく静電潜像が形成される。
【００３８】
次いで、現像ローラ２７の回転により、現像ローラ２７上に担持されかつ正帯電されているトナーが、感光体ドラム２３に対向して接触する時に、感光体ドラム２３の表面上に形成される静電潜像、すなわち、一様に正帯電されている感光体ドラム２３の表面のうち、レーザビームによって露光され電位が下がっている露光部分に供給され、選択的に担持されることによって可視像化され、これによってトナー像が形成される。
【００３９】
転写ローラ２５は、感光体ドラム２３の下方において、この感光体ドラム２３に対向するように配置され、上記ドラムカートリッジに図２において時計方向に回転可能に支持されている。この転写ローラ２５は、金属製のローラ軸に、イオン導電性のゴム材料からなるローラが被覆されており、転写時には、転写バイアス印加電源から転写バイアス（転写順バイアス）が印加されるように構成されている。そのため、感光体ドラム２３の表面上に担持されたトナー像は、用紙３が感光体ドラム２３と転写ローラ２５との間を通る間に、前述の画像形成位置Ｐにて用紙３に転写される。
【００４０】
［定着装置１９の構成の説明］
定着手段としての定着装置１９は、図２に示すように、プロセスユニット１８より側方の搬送方向下流側に配設され、１つの加熱ローラ３１と、この加熱ローラ３１を押圧するように配置された加圧ローラ３２と、これらの下流側に設けられる一対の搬送ローラ３３とを備えている。加熱ローラ３１は、アルミ等の金属製で加熱のためのハロゲンランプ等のヒータを備えており、プロセスユニット１８において用紙３上に転写されたトナーを、用紙３が加熱ローラ３１と加圧ローラ３２との間を通過する間に熱定着させる。その後、用紙３は搬送ローラ３３によって、本体ケース２内の後部側の排紙パスに搬送された後、更に、搬送ローラ３４及び排紙ローラ３５により搬送され、その後、排紙トレイ３６上に排紙される。
【００４１】
また、加熱ローラ３１及び加圧ローラ３２と搬送ローラ３３，３３との間の用紙搬送経路には、前述のタグ３Ａにデータを記録可能なデータ記録手段の一例としてのタグライタ３８が設けられている。このため、用紙３としてタグ３Ａが添付されたものを利用した場合、画像形成後の用紙３のタグ３Ａに所望のデータを記録することができる。
【００４２】
［プリンタ１の制御系の説明］
この他、プリンタ１の上面には、タグ読取ボタン２２０Ａをはじめとする各種ボタン（図示省略）や液晶ディスプレイを備えた操作パネル２２０（図１参照）が設けられている。図１に戻って、この操作パネル２２０は、プロセスユニット１８，スキャナユニット１７，タグライタ３８，タグリーダ１６と共に、制御部２００に接続されている。この制御部２００は、ＣＰＵ２０１，ＲＯＭ２０２，ＲＡＭ２０３を備えたマイクロコンピュータとして構成され、更に、電源スイッチが切られても記憶内容が消えないようにされたＮＶＲＡＭ２０４を備えている。また、この制御部２００は、プリンタポートインタフェース（プリンタポートＩ／Ｆ）２３０及びネットワーク７００を介してパソコン８００に接続されている。
【００４３】
パソコン８００のパソコン本体８１０は、主な構成としてＣＰＵ８１１，ＲＯＭ８１２，ＲＡＭ８１３，及びハードディスク装置（ＨＤＤ）８１４を備えている。また、ＲＡＭ８１３は、後述のタグ書き込みデータエリア８１３Ａと印刷データエリア８１３Ｂと復元エリア８１３Ｃとを備えている。そして、このパソコン本体８１０には、ＣＲＴ等のディスプレイ８２０、キーボード８３０、マウス８４０、及び、プリンタ１の制御部２００と接続するためのプリンタポートインタフェース（プリンタポートＩ／Ｆ）８５０等が接続されている。
【００４４】
［上記制御系における処理（パソコン８００のファイル保存処理）］
次に、この制御系における処理について説明する。図４は、パソコン８００にて実行されるファイル保存処理を表すフローチャートである。なお、本処理は、パソコン８００において本処理の操作指令がなされたとき、ＣＰＵ８１１がＨＤＤ８１４に記憶された所定のプログラムを実行することによって開始される。
【００４５】
図４に示すように、処理が開始されると、先ず、Ｓ１（Ｓはステップを表す:以下同様）にて、ＨＤＤ８１４内における特定位置のファイル構造のイメージが作成され、ディスプレイ８２０に表示されて保存ファイルの指定が可能となる。例えば、図５に例示するように、ルートから末端のファイルへ至るツリー構造の図がディスプレイ８２０に表示され、マウス８４０等により、ファイルデータごとタグ３Ａ保存するファイルデータ保存や、ファイルデータの「A:\B\C1」などといったファイルネームを含む位置情報のみをタグ３Ａに保存するファイル位置保存が指定可能になる。そして、指定がなされると、例えば図６に例示するように、ファイルデータ保存が指定されたファイルには黒の四角マークが、ファイル位置保存が指定されたファイルには黒の三角マークが、それぞれディスプレイ８２０に表示される。
【００４６】
そこで、Ｓ１に続くＳ２では、指定されたファイルがデータごと指定されたファイルデータ保存なのか、ファイル位置保存なのかが、１ファイルずつ順次判断される。そして、データごとの場合は（Ｓ２：Ｙ）、Ｓ３にて、そのファイルの位置情報，ファイルネーム，及びファイルデータ自身がタグ書き込みデータとしてタグ書き込みデータエリア８１３Ａに書き込まれた上で、処理はＳ５へ移行する。また、位置情報のみの場合は（Ｓ２：Ｎ）、Ｓ４にて、そのファイルの位置情報及びファイルネームがタグ書き込みデータとしてタグ書き込みデータエリア８１３Ａへ書き込まれた上で、処理はＳ５へ移行する。Ｓ５では、他にも次のファイルが指定されているか否かが判断され、指定されている場合は（Ｓ５：Ｙ）、処理は前述のＳ２へ、次のファイルが指定されていない場合は（Ｓ５：Ｎ）、処理は続くＳ６へ、それぞれ移行する。
【００４７】
Ｓ６では、タグ３Ａからデータが読み出されたときに自動的に復活を行う読み出し時復活が指示されているか否かが判断される。そして、読み出し時復活が指示されている場合は（Ｓ６：Ｙ）、Ｓ７にて、復活のための保存をしたことを示すフラグとファイルシステム復活用アプリケーションソフト（以下、復活用ソフトという）とがタグ書き込みデータとしてタグ書き込みデータエリア８１３Ａに書き込まれた後、読み出し時復活が指示されていない場合はそのまま（Ｓ６：Ｎ）、処理はＳ１０へ移行する。
【００４８】
Ｓ１０では、Ｓ３またはＳ４で指定されたファイルネームや位置情報に対応した印刷イメージデータ（以下、単に印刷データという）が作成され、印刷データエリア８１３Ｂに書き込まれる。例えば、ファイルデータ保存及びファイル位置保存が図６に例示するように指定された場合、図７に例示するように指定されたファイルの位置情報等のみを抽出したイメージに対応する印刷データが作成され、印刷データエリア８１３Ｂに書き込まれる。なお、この印刷データは、用紙３の複数頁分に相当する場合もあり、その場合は、Ｓ１０では１頁分ずつ印刷データが作成される。
【００４９】
続くＳ１１では、その印刷頁に対応するタグ書き込みデータが、タグ３Ａの記憶容量まで設定される。なお、前述のフラグや復活用ソフトは１頁目に対応するデータとして設定される。また、タグ３Ａの記憶容量は、用紙３がレジストローラ９の手前まで搬送されることによりタグリーダ１６を介して取得されてもよく、タグ３Ａの記憶容量が規格化されており、その値がＨＤＤ８１４等の所定領域に記憶されている場合は、その値を読み出すことにより取得されてもよい。
【００５０】
続くＳ１２では、上記印刷データのうち、タグに書き込まれるファイルが強調され、それに応じて印刷データエリア８１３Ｂのデータが更新される。例えば、当該頁に対応する全てのデータが１つのタグ３Ａに書き込まれる場合は、図８に例示するように、各データに対応するファイルを表す長方形の枠が全て所定の色で塗りつぶされる。なお、強調の方法としては、この他、図７におけるファイルネームの右端に星印を付けるなど、オプションにより種々の方法が選択できる。
【００５１】
また、当該頁に対応するデータが例えば２つのタグ３Ａに亘って書き込まれる場合は、次に述べる処理によりＳ１２の処理が２回繰り返されるので、図９に例示するように、各頁の用紙３にそれぞれ添付されたタグ３Ａに書き込まれるデータのみが強調される。
【００５２】
続くＳ１０では、タグ書き込みデータエリア８１３Ａに書き込まれたタグ書き込みデータのうちＳ１１で設定されたデータと、印刷データエリア８１３Ｂに書き込まれ必要に応じて更新された印刷データとがプリンタ１へ送信され、処理はＳ１４へ移行する。
【００５３】
Ｓ１４では、Ｓ１１にてタグ３Ａの記憶容量内に書き込めなかった同一頁内の未書き込みデータがあるか否かが判断され、未書き込みデータがない場合は（Ｓ１４：Ｎ）、Ｓ１５にて、次頁の印刷データがあるか否かが判断される。そして、次頁の印刷データがない場合は（Ｓ１５：Ｎ）、処理はそのまま終了し、次頁の印刷データがある場合は（Ｓ１５：Ｙ）、処理は前述のＳ１０へ移行して次ページの印刷データが作成される。
【００５４】
一方、同一頁内の未書き込みデータがあった場合は（Ｓ１４：Ｙ）、処理はＳ１６へ移行し、Ｓ１１と同様に、その頁に対応する残りのタグ書き込みデータがタグ３Ａの記憶容量まで設定され、処理は前述のＳ１２へ移行する。この場合、Ｓ１２では、前述のように新たに設定されたデータが強調され、前回のＳ１２の処理でなされた強調は解除される。そして、その頁に対応する全てのタグ書き込みデータの設定（Ｓ１６，Ｓ１１）、及び送信（Ｓ１３）が終了すると（Ｓ１４：Ｙ）、処理は前述のＳ１５へ移行する。
【００５５】
以上の処理により、図８または図９に例示したようなイメージに対応する印刷データと、各頁に対応するファイルデータ，ファイルネーム，位置情報等が、プリンタ１へ送信される。また、ファイルのイメージが１枚の用紙３に印刷できない場合は（Ｓ１５：Ｙ）、例えば図１０に例示するように、印刷データも複数頁分のイメージが作成され（Ｓ１０）、各頁にそれぞれ対応したタグ書き込みデータと共にプリンタ１に送信される（Ｓ１１，Ｓ１６，Ｓ１３）。
【００５６】
［上記制御系における処理（プリンタ１の処理）］
次に、図１１は、上記Ｓ１３の処理に応じてプリンタ１の制御部２００が実行するプリンタ印刷処理を表すフローチャートである。この処理は、パソコン８００からプリンタ１へデータが送信されると開始される。
【００５７】
図１１に示すように、処理が開始されると、先ず、Ｓ２０１にて、パソコン８００から送信されたデータを受信する処理が実行され、続くＳ２０２にて、その受信されたデータが印刷データであったか否かが判断される。そして、印刷データであった場合は（Ｓ２０２：Ｙ）、Ｓ２０３にてその印刷データがＲＡＭ２０３に設定された印刷バッファへ書き込まれた後、印刷データでなかった場合はそのまま（Ｓ２０２：Ｎ）、処理はＳ２０４へ移行する。
【００５８】
Ｓ２０４では、上記受信されたデータがタグ書き込みデータであったか否かが判断される。そして、タグ書き込みデータであった場合は（Ｓ２０４：Ｙ）、Ｓ２０５にてそのタグ書き込みデータがＲＡＭ２０３に設定されたタグ書き込みバッファへ書き込まれた後、タグ書き込みデータでなかった場合はそのまま（Ｓ２０４：Ｎ）、処理はＳ２０６へ移行する。なお、Ｓ２０５では、前述の印刷データも、タグ書き込みデータとしてタグ書き込みバッファへ書き込まれる。続くＳ２０６では、パソコン８００からのデータ受信が終了したか否かが判断され、まだ終了していない場合は（Ｓ２０６：Ｎ）、処理はＳ２０１へ移行して、前述のＳ２０１〜Ｓ２０５の処理が繰り返される。
【００５９】
一方、パソコン８００からのデータ受信が終了すると（Ｓ２０６：Ｙ）、処理はＳ２０７へ移行し、印刷データに基いてスキャナユニット１７，プロセスユニット１８等を駆動することによる用紙３への印刷が開始される。続くＳ２０８では、タグライタ３８によるタグ３Ａへのデータの書き込みが可能なタグ書き込み位置まで用紙３が搬送されたか否かが判断される。そして、タグ書き込み位置でない場合はそのまま（Ｓ２０８：Ｎ）、タグ書き込み位置である場合は（Ｓ２０８：Ｙ）、Ｓ２０９にて、タグ書き込みデータがタグ３Ａに書き込まれた後、処理はＳ２１０へ移行する。
【００６０】
Ｓ２１０では、用紙３への印刷とタグ３Ａへの書き込みとが完了したか否かが判断され、まだ完了していない場合は（Ｓ２１０：Ｎ）、処理はＳ２０７へ移行して、前述のＳ２０７〜Ｓ２０９の処理が繰り返される。そして、用紙３への印刷とタグ３Ａへの書き込みとが完了すると（Ｓ２１０：Ｙ）、処理は一旦終了する。以上の処理により、前述のようなファイルのイメージの画像が用紙３に印刷され、対応するタグ書き込みデータがタグ３Ａに書き込まれる。
【００６１】
また、制御部２００は、パソコン８００からタグ３Ａのデータを読み出すべき旨の指令を受信したとき、または、操作パネル２２０のタグ読取ボタン２２０Ａが押下されたときには、次のようなタグデータ読み出し処理を実行する。
【００６２】
図１２は、そのタグデータ読み出し処理を表すフローチャートである。図１２に示すように、処理が開始されると、先ず、Ｓ２５０にて、マルチパーパストレイ１４に用紙３がセットされているか否かが判断される。用紙３がセットされていない場合は（Ｓ２５０：Ｎ）、処理はＳ２５０にてそのまま待機し、用紙３がセットされている場合は（Ｓ２５０：Ｙ）、Ｓ２５１にてその用紙３の搬送が開始される。
【００６３】
続くＳ２５２では、タグリーダ１６がタグ３Ａと交信可能であるか否かが判断される。そして、交信不能の場合はそのまま（Ｓ２５２：Ｎ）、交信可能の場合は（Ｓ２５２：Ｙ）、Ｓ２５３にて、タグリーダ１６を介してタグ３Ａよりデータが読み出されてＲＡＭ２０３内のタグバッファに書き込まれた後、処理はＳ２５４へ移行する。Ｓ２５４では、用紙３の末尾まで搬送されてその用紙３が排紙トレイ３６上に排紙されたか否かが判断される。そして、用紙末尾まで搬送されていない場合は（Ｓ２５４：Ｎ）、処理は前述のＳ２５１へ移行してＳ２５１〜Ｓ２５３の処理が繰り返され、用紙末尾まで搬送された場合は（Ｓ２５４：Ｙ）、処理は続くＳ２５５へ移行する。Ｓ２５５では、Ｓ２５３にてタグ３Ａより読み出されたデータがホスト（この場合、パソコン８００）に送信されて処理が終了する。
【００６４】
なお、マルチパーパストレイ１４にセットされた用紙３に添付されているタグ３Ａからデータを読み出す場合、必ずしも、用紙３を搬送しながら読み出すようにする必要はなく、例えば、マルチパーパストレイ１４に用紙３をセット（載置）した状態のままで用紙３に添付されているタグ３Ａからデータを読み取る（読み出す）ようにしてもよい。
【００６５】
図１９は、このような読み出しを可能とした場合のタグデータ読み出し処理を示すもので、図１２に示すＳ２５１，Ｓ２５２，Ｓ２５４の各処理が省略されている。
［上記制御系における処理（パソコン８００のファイル復活処理）］
次に、図１３は、前述のＳ２５５の処理によりプリンタ１から送信されたデータに対して、パソコン８００にて実行されるファイル復活処理を表すフローチャートである。なお、パソコン８００のＣＰＵ８１１は、プリンタ１からのデータ受信時に、ＨＤＤ８１４に記憶された所定のプログラムに基いてこの処理を実行する。
【００６６】
図１３に示すように、処理が開始されると、先ず、Ｓ３１にて、プリンタ１から受信されたデータが復元エリア８１３Ｃに保存される。続くＳ３３では、前述の復活のための保存をしたことを示すフラグがそのデータの中にあるか否かが判断され、ない場合は（Ｓ３３：Ｎ）、Ｓ３５にて、ディスプレイ８２０にそのデータが一覧表示されて、処理が終了する。すると、例えば下記のようなデータの復元や保存を行うか否かといったその後の処理は、使用者に委ねられる。
【００６７】
一方、プリンタ１からのデータに上記フラグがある場合は（Ｓ３３：Ｙ）、Ｓ３７にて、前述の復活用ソフトがインストールされる。続くＳ３８では、ディスプレイ８２０を介してメッセージを表示して、使用者にファイルの復活位置を選択させる復活位置選択処理が実行される。続くＳ３８では、その復活位置選択処理により、指定フォルダが選択されたか元の位置が選択されたかが判断される。なお、指定フォルダの選択は、ディスプレイ８２０に表示されたツリー状のフォルダ構造に対してなされてもよく、キーボード８３０から位置情報を直接入力することによってなされてもよい。そして、復活位置として指定フォルダが選択された場合は（Ｓ３９：指定フォルダ）、Ｓ４０にて指定フォルダへの保存処理が実行され、また、復活位置として元の位置が選択された場合は（Ｓ３９：元の位置）、Ｓ５０にて元の位置への保存処理がなされた後、処理が終了する。
【００６８】
図１４は、Ｓ４０の指定フォルダへの保存処理を詳細に表すフローチャートである。図１４に示すように、この処理では、先ず、Ｓ４０１にて、復元エリア８１３Ｃに保存されている前述の印刷データが上記指定フォルダに保存される。続くＳ４０２では、復元エリア８１３Ｃよりデータが１データ読み出され、Ｓ４０３にて、そのデータがファイルネームを含む位置情報、またはファイルネームのみのデータであるか否かが判断される。
【００６９】
位置情報またはファイルネームのみのデータである場合は（Ｓ４０３：Ｙ）、そのデータが次のように元のファイルデータに復元される。すなわち、この場合、先ず、Ｓ４０４にてその位置情報またはファイルネームに対応するファイルが検索される。この検索は、位置情報が当該パソコン８００の所定領域を指示している場合はパソコン８００内の処理によってなされるが、ＵＲＬなどに基いてネットワーク７００を介して検索がなされてもよい。
【００７０】
続くＳ４０５では、ファイルがあったか否かが判断され、ファイルがあった場合は（Ｓ４０５：Ｙ）、Ｓ４０６にてそのファイルがデータが取得された上で、ファイルがなかった場合は（Ｓ４０５：Ｎ）、Ｓ４０７にて、ファイルデータの取得ができなかった旨の失敗情報としてのフォルトレポートが作成された上で、処理はＳ４０８へ移行する。
【００７１】
Ｓ４０８では、その時点で得られているデータが指定フォルダに保存される。例えば、ファイルデータが取得されている場合は（Ｓ４０６）、そのファイルデータと、Ｓ４０２にて読み出された位置情報またはファイルネームとが、指定フォルダに保存される。また、ファイルがなかった場合は（Ｓ４０５：Ｎ）、何も保存されなくてもよく、空のファイルが保存されてもよく、Ｓ４０２にて読み出された位置情報またはファイルネームのみがファイルにして保存されてもよい。
【００７２】
また、Ｓ４０３にて位置情報またはファイルネームのみのデータでないと判断された場合は（Ｓ４０３：Ｎ）、そのデータはファイル自身やフラグなど、復元の対象となるファイルを探す必要のないデータである。そこで、この場合、処理はＳ４０３からＳ４０８へ直接移行し、Ｓ４０２で読み出されたデータがそのまま指定フォルダへ保存される。
【００７３】
Ｓ４０８に続くＳ４０９では、復元エリア８１３Ｃに、次のデータがまだ保存されているか否かが判断される。そして、次のデータがある場合は（Ｓ４０９：Ｙ）、処理は前述のＳ４０２へ移行して次のデータに対してＳ４０２〜Ｓ４０８の処理が実行される。こうして復元エリア８１３Ｃの全てのデータに対して上記Ｓ４０２〜Ｓ４０８の処理が終了すると、（Ｓ４０９：Ｎ）、Ｓ４１１にてフォルトレポートが保存された上で（フォルトレポートがある場合のみ）、処理が終了する。
【００７４】
次に、図１５は、Ｓ５０の元の位置への保存処理を詳細に表すフローチャートである。図１５に示すように、この処理では、先ず、Ｓ５０１〜Ｓ５０７にて前述のＳ４０１〜Ｓ４０７と同様の処理が実行される。すなわち、印刷データが保存され（Ｓ５０１）、復元エリア８１３Ｃより１データ読み出される（Ｓ５０２）。但し、この処理では、指定フォルダの指定がなされていないので、Ｓ５０１では、印刷データは予め指定されたＨＤＤ８１４の所定フォルダ（例えばマイクロソフト・ウインドウズ（登録商標）におけるマイピクチャ）に保存されるか、パソコン８００上で指定された場所に保存される。
【００７５】
そして、Ｓ５０２にて読み出されたデータが位置情報またはファイルネームのみのデータの場合は（Ｓ５０３：Ｙ）、対応するフォルダが取得され（Ｓ５０４〜Ｓ５０６）、取得できなかった場合はフォルトレポートが作成されて（Ｓ５０７）、処理はＳ５１０へ移行する。また、復元エリア８１３Ｃから読み出されたデータが位置情報またはファイルネームのみのデータでない場合は（Ｓ５０３：Ｎ）、復元の対象となるファイルを探す必要がないため処理はＳ５０３からＳ５１０へ直接移行する。
【００７６】
Ｓ５１０では、上記位置情報によって規定されるフォルダ構造があるか否かが判断される。そして、フォルダ構造がない場合は（Ｓ５１０：Ｎ）、Ｓ５１１にて、位置情報に基づいてそのフォルダ構造が構築される。このステップでは、場合によっては、例えば図５示すルートＡから構築がなされる。続くＳ５１２では、そのフォルダ構造が構築できたか否かが判断され、構築できた場合は（Ｓ５１２：Ｙ）、Ｓ５１３にて、上記データ及び復元後のファイルデータが、位置情報の位置へ保存される。一方、上記フォルダ構造が最初からあった場合は（Ｓ５１０：Ｙ）、処理はＳ５１０からＳ５１３へ直接移行し、フォルダ構造を構築することなく既存のフォルダ構造における上記位置情報の位置へデータが保存される（Ｓ５１３）。
【００７７】
Ｓ５１３に続くＳ５１４では、前述のＳ４０９と同様に、次のデータがあるか否かが判断され、次のデータがある場合は（Ｓ５１４：Ｙ）、処理は前述のＳ５０２へ移行する。また、Ｓ５１２にてフォルダ構造の構築ができなかったと判断された場合は（Ｓ５１２：Ｎ）、Ｓ５１５にて、フォルダ構造の構築ができなかった旨の失敗情報としてのフォルトレポートが作成された上で、処理は前述のＳ５１４へ移行する。こうして、復元エリア８１３Ｃの全てのデータに対して上記Ｓ５０２〜Ｓ５１５の処理が終了すると、（Ｓ５１４：Ｎ）、Ｓ５１６にてフォルトレポートが保存された上で（フォルトレポートがある場合のみ）、処理が終了する。
【００７８】
［本実施の形態の効果］
このように、本実施の形態では、位置情報またはファイルネームのみでタグ３Ａに書き込まれていたデータをファイルとして復元し、所望の指定フォルダ若しくは元の位置へ格納することが容易に実行できる。しかも、タグ３Ａのデータに上記フラグが添付されている場合には、その処理を自動で実行することができる。なお、指定フォルダへの保存（Ｓ４０）が実行された場合には、復元されたファイルへのアクセスが容易になり、元の位置への保存（Ｓ５０）が実行された場合には、他のアプリケーション等でそのデータを使用する場合に一層利便性が向上する。しかも、後者の場合、元の位置に対応するフォルダ構造自体が消失している場合でも、そのフォルダ構造を再構築してデータの保存がなされるので（Ｓ５１１）、一層利便性が向上する。
【００７９】
更に、本実施の形態では、ファイルの復元やフォルダ構造の構築に失敗した場合はフォルトレポートが作成されるので、使用者は善後策を迅速に検討することが可能となる。また、用紙３に印刷された画像の印刷データも保存されるので（Ｓ４１１，Ｓ５１６）、その画像を再び他の用紙３に印刷することも容易となる。
【００８０】
なお、上記実施の形態において、Ｓ４０４〜Ｓ４０６の処理及びＳ５０４〜Ｓ５０６の処理が復元手段に、Ｓ４０８の処理が第１の格納手段に、Ｓ５１１〜Ｓ５１３の処理が第２の格納手段に、Ｓ４０７，Ｓ５０７，Ｓ５１５の処理が失敗情報作成手段に、Ｓ４０１及びＳ５０２の処理が画像データ保存手段に、Ｓ１の処理がデータ指定手段に、Ｓ２の処理が記録制御手段に、それぞれ相当する。
【００８１】
［本実施の変形例］
また、本発明は上記実施の形態に何ら限定されるものではなく、本発明の要旨を逸脱しない範囲で種々の形態で実施することができる。例えば、本発明は、印刷機能を有さず、タグ３Ａに対するデータの書き込み・読み出しのみを実行するシステムに対しても適用することができる。この場合、タグ３Ａは用紙３に添付されていなくてもよい。
【００８２】
また、指定フォルダへの保存処理では、Ｓ４０８の処理を次のように変更してもよい。図１６は、その変形例を表すフローチャートである。なお、本処理では、前述のＳ４０８の処理をＳ４８０〜Ｓ４８２のように変更した点を除いて、他は図１４の処理と同様に構成されているので、変更点のみを説明する。
【００８３】
すなわち、ファイルデータの取得（Ｓ４０６）等がなされて処理がＳ４８０へ移行すると、その指定フォルダの中に上記位置情報によって規定されるフォルダ構造があるか否かが判断される。そして、フォルダ構造がない場合は（Ｓ４８０：Ｎ）、Ｓ４８１にて、位置情報に基づいてそのフォルダ構造が構築される。この場合も、フォルダ構造がルートから構築される場合があるが、その場合、例えば図１７に例示するように、ルートの名称は適宜変更される。そして、続くＳ４８２では、前述の復元後のファイルデータ等が、構築後のフォルダ構造における上記位置情報の位置へ保存され、処理は前述のＳ４０９へ移行する。一方、上記フォルダ構造が最初からあった場合は（Ｓ４８０：Ｙ）、処理はＳ４８０からＳ４８２へ直接移行し、指定フォルダ内の既存のフォルダ構造における上記位置情報の位置へデータが保存される（Ｓ４８２）。この例では、復元されたファイルデータをかつての格納位置に対応するフォルダ構造ごと上記指定フォルダに格納することが、元々存在したフォルダ構造に影響を与えることなく実行できる。
【００８４】
また、ファイルデータの復元は、プリンタ１にて実行されてもよい。図１８は、そのような実施の形態におけるプリンタ印刷処理を表すフローチャートである。図１８に示すように、本処理では、先ず、Ｓ２６０〜Ｓ２６４にて、前述のＳ２５０〜Ｓ２５４と同様にタグ３Ａよりデータが読み出されてタグバッファに書き込まれた後、処理はＳ２７０へ移行する。Ｓ２７０では、タグバッファよりデータが１データ読み出され、続くＳ２７１にて、そのデータがファイルネームを含む位置情報、またはファイルネームのみのデータであるか否かが判断される。
【００８５】
位置情報またはファイルネームのみのデータである場合は（Ｓ２７１：Ｙ）、Ｓ２７２にてその位置情報またはファイルネームに対応するファイルが検索される。この検索は、例えばネットワーク７００に複数のパソコン８００やサーバが接続されている場合、ＵＲＬなどに基いてネットワーク７００を介してなされる。
【００８６】
続くＳ２７３では、ファイルがあったか否かが判断され、ファイルがあった場合は（Ｓ２７３：Ｙ）、Ｓ２７４にてそのファイルがデータが取得された上で、ファイルがなかった場合はそのまま（Ｓ２７３：Ｎ）、処理はＳ２７５へ移行する。
【００８７】
Ｓ２７５では、その時点で得られているデータが送信用バッファに保存される。例えば、ファイルデータが取得されている場合は（Ｓ２７４）、そのファイルデータと、Ｓ２７０にて読み出された位置情報またはファイルネームとが、また、ファイルがなかった場合は（Ｓ２７３：Ｎ）Ｓ２７０にて読み出された位置情報またはファイルネームのみが、送信用バッファに保存される。
【００８８】
また、Ｓ２７１にて位置情報またはファイルネームのみのデータでないと判断された場合は（Ｓ２７１：Ｎ）、そのデータはファイル自身やフラグなど、復元の対象となるファイルを探す必要のないデータである。そこで、この場合、処理はＳ２７１からＳ２７５へ直接移行し、Ｓ２７０で読み出されたデータがそのまま送信用バッファへ保存される。
【００８９】
Ｓ２７５に続くＳ２７６では、タグバッファに、次のデータがまだ保存されているか否かが判断される。そして、次のデータがある場合は（Ｓ２７６：Ｙ）、処理は前述のＳ２７０へ移行して次のデータに対してＳ２７０〜Ｓ２７５の処理が実行される。こうしてタグバッファの全てのデータに対して上記Ｓ２７０〜Ｓ２７５の処理が終了すると、（Ｓ２７６：Ｎ）、送信用バッファのデータがホスト（この場合、パソコン８００）に送信されて、処理が終了する。この場合、パソコン８００の負担を軽減して、パソコン８００における他の処理に影響が及ぶのを抑制することができる。
【００９０】
なお、図１８に示すプリンタ印刷処理においても、図１２の場合と同様に、必ずしもマルチパーパストレイ１４にセットされた用紙３を搬送しながら、用紙３に添付されているタグ３Ａからデータを読み出すようにする必要はなく、例えば、図１９に示すタグデータ読み出し処理と同様に、マルチパーパストレイ１４に用紙３をセット（載置）した状態のままで、用紙３に添付されているタグ３Ａからタグリーダ１６にてデータを読み出すようにしてもよいことはもちろんである。
【００９１】
また、プリンタ１の本体ケース２の上面等にタグリーダを内蔵して、用紙３に設けられたタグ３Ａをタグリーダにかざすことで、タグ３Ａからデータを読み取る（読み出す）ようにしてもよい。複数の用紙３から連続してタグ３Ａのデータを読み取る場合には、用紙３を一枚ずつタグリーダにかざして読み取るようにしてもよいし、いわゆる衝突防止（アンチコリジョン）機能を用いて複数の用紙３を束ねた状態でも各タグ３Ａからデータを順次読み出すこともできる。
【００９２】
更に、プリンタ機能に加えて、例えば、スキャナ（原稿読み取り）機能や、コピー機能、ファックス機能等を備えた複合機の場合には、スキャナ機能に付属する原稿自動搬送機構（いわゆるＡＤＦ機構）により、タグ３Ａが添付された用紙３を搬送しながら、搬送経路に沿って配置されているタグリーダにより、タグ３Ａに記録されているデータを読み出すようにしてもよい。
【００９３】
更に、本発明における非接触型タグとしては、赤外線を利用してデータの送受信を行うタグも採用することができる。また、プリンタ１が適宜の大きさの操作パネル２２０を備え、かつ、内部の記憶領域にフォルダ構造等を備えている場合は、上記実施の形態でパソコン８００が実行した処理を全て制御部２００で実行してもよい。この場合、プリンタ１単体で本発明のデータ処理装置を構成することができる。
【００９４】
また、上記実施の形態では、フラグまたは復活プログラムによる復活であるが、このフラグまたは復活プログラムに依存せずに、とにかく復活を行うようにすることも可能である。
【図面の簡単な説明】
【００９５】
【図１】本発明が適用されたデータ処理装置の構成を表すブロック図である。
【図２】そのデータ処理装置を構成するプリンタの内部構成を表す概略断面図である。
【図３】非接触型タグを備えた用紙の構成を例示する説明図である。
【図４】上記データ処理装置を構成するパソコンで実行されるファイル保存処理を表すフローチャートである。
【図５】そのファイル保存処理で表示されるファイル構造の画像を例示する説明図である。
【図６】そのファイル構造の画像に強調がなされた状態を例示する説明図である。
【図７】上記ファイル保存処理で作成される印刷イメージを例示する説明図である。
【図８】その印刷イメージに強調がなされた状態を例示する説明図である。
【図９】上記印刷イメージに強調がなされた他の状態を例示する説明図である。
【図１０】上記印刷イメージの他の形態を表す説明図である。
【図１１】上記プリンタで実行されるプリンタ印刷処理を表すフローチャートである。
【図１２】上記プリンタで実行されるタグデータ読み出し処理を表すフローチャートである。
【図１３】上記パソコンで実行されるファイル復活処理を表すフローチャートである。
【図１４】そのファイル復活処理の指定フォルダへの保存処理を詳細に表すフローチャートである。
【図１５】上記ファイル復活処理の元の位置への保存処理を詳細に表すフローチャートである。
【図１６】上記指定フォルダへの保存処理の変形例を表すフローチャートである。
【図１７】その処理によって構築されるフォルダ構造を例示する説明図である。
【図１８】上記プリンタ印刷処理の変形例を表すフローチャートである。
【図１９】上記タグデータ読み出し処理の変形例を表すフローチャートである。
【符号の説明】
【００９６】
１…プリンタ        ３…用紙        ３Ａ…タグ        １６…タグリーダ
３８…タグライタ                ２００…制御部            ８００…パソコン
８１０…パソコン本体            ８１３Ａ…タグ書き込みデータエリア
８１３Ｂ…印刷データエリア      ８１３Ｃ…復元エリア      ８２０…ディスプレイ
８３０…キーボード              ８４０…マウス            ８１１…ＣＰＵ
８１３…ＲＡＭ                  ８１４…ＨＤＤ
【図１】
2008085844.tif 000003
【図２】
2008085844.tif 000004
【図３】
2008085844.tif 000005
【図４】
2008085844.tif 000006
【図５】
2008085844.tif 000007
【図６】
2008085844.tif 000008
【図７】
2008085844.tif 000009
【図８】
2008085844.tif 000010
【図９】
2008085844.tif 000011
【図１０】
2008085844.tif 000012
【図１１】
2008085844.tif 000013
【図１２】
2008085844.tif 000014
【図１３】
2008085844.tif 000015
【図１４】
2008085844.tif 000016
【図１５】
2008085844.tif 000017
【図１６】
2008085844.tif 000018
【図１７】
2008085844.tif 000019
【図１８】
2008085844.tif 000020
【図１９】
2008085844.tif 000021